(57)【要約】  ビアパススルー装置が開示される。ビアパススルー装置は、基板処理システムの第１メインフレームセクションと第２メインフレームセクションとの間で連結するように適合され、それぞれスリットバルブを有する入口及び出口を含むパススルーチャンバ、並びにパススルーチャンバとは異なる階層に位置し、ビア位置において基板上の処理を実行するように適合されるビア処理チャンバを含む。数多くの他の態様と同様に、システムを操作するシステム及び方法が提供される。【選択図】図４Ｄ
2016512925.tif 000002
【特許請求の範囲】
【請求項１】
第１メインフレームセクションと第２メインフレームセクションとの間で連結するように適合されるパススルーチャンバであって、それぞれスリットバルブを有する入口及び出口を含むパススルーチャンバ、並びに
前記パススルーチャンバとは異なる階層に位置し、基板上の処理を実行するように適合されるビア処理チャンバ
を備えるビアパススルー装置。
【請求項２】
前記処理が、堆積処理、酸化処理、酸化物除去処理、ニトロ化処理、エッチング処理、アニール処理、軽減処理、及び洗浄処理から選択される少なくとも１つを含む、請求項１に記載のビアパススルー装置。
【請求項３】
前記パススルーチャンバの上に直接配置される前記ビア処理チャンバを備える、請求項１に記載のビアパススルー装置。
【請求項４】
前記ビア処理チャンバを通してパススルー能力を更に備える、請求項３に記載のビアパススルー装置。
【請求項５】
前記ビア処理チャンバが、前記第１メインフレームセクションの第１移送チャンバに連結するように適合される第１開口部、及び前記第２メインフレームセクションの第２移送チャンバに連結するように適合される第２開口部を備える、請求項１に記載のビアパススルー装置。
【請求項６】
前記ビア処理チャンバが、第１移送チャンバ又は第２移送チャンバのうちの１つに連結するように適合される開口部を備える、請求項１に記載のビアパススルー装置。
【請求項７】
前記ビア処理チャンバ及び第２ビア処理チャンバに連結される共通遠隔プラズマ源を備える、請求項１に記載のビアパススルー装置。
【請求項８】
前記ビア処理チャンバが固定加熱済ペデスタルを備える、請求項１に記載のビアパススルー装置。
【請求項９】
前記ビア処理チャンバと横並び配置で配置される第２ビア処理チャンバを備える、請求項１に記載のビアパススルー装置。
【請求項１０】
基板を動かすように構成される第１ロボットを含む第１メインフレームセクション、
基板を動かすように構成される第２ロボットを含む第２メインフレームセクション、及び
前記第１メインフレームと前記第２メインフレームとの間で連結されるビアパススルー装置であって、
前記第１メインフレームと前記第２メインフレームとの間に連結され、前記第１ロボットと前記第２ロボットの両方によってアクセス可能である第１パススルーチャンバと、
基板上の処理を実行するように適合され、前記第１パススルーチャンバとは異なる階層に位置するビア処理チャンバとを含むビアパススルー装置
を備える電子デバイス処理システム。
【請求項１１】
前記ビアパススルー装置が、第２ビア処理チャンバと横並び配置で配置される第１ビア処理チャンバを備える、請求項１０に記載の電子デバイス処理システム。
【請求項１２】
前記ビアパススルー装置が、前記ビア処理チャンバ内への単一の入口を備える、請求項１０に記載の電子デバイス処理システム。
【請求項１３】
前記ビアパススルー装置が、
前記第１メインフレームから前記ビア処理チャンバ内への第１入口、及び
前記第２メインフレームから前記ビア処理チャンバ内への第２入口
を備える、請求項１０に記載の電子デバイス処理システム。
【請求項１４】
第１ロボットを含む第１メインフレームセクションを提供すること、
第２ロボットを含む、前記第１メインフレームセクションに隣接する第２メインフレームセクションを提供すること、
前記第１メインフレームと前記第２メインフレームを連結するビアパススルー装置を提供すること、及び
前記ビアパススルー装置の１つ又は複数のビア処理チャンバ内の１つ又は複数の基板上の処理を実行すること
を含む基板処理方法。
【請求項１５】
前記処理が、堆積処理、酸化処理、酸化物除去処理、ニトロ化処理、エッチング処理、軽減処理、及び洗浄処理から選択される少なくとも１つを含む、請求項１４に記載の方法。
【発明の詳細な説明】
【技術分野】
【０００１】
関連出願
［０００１］本出願は、２０１３年３月１５日に出願された「ＰＲＯＣＥＳＳＩＮＧ  ＳＹＳＴＥＭＳ，  ＡＰＰＡＲＡＴＵＳ，  ＡＮＤ  ＭＥＴＨＯＤＳ  ＡＤＡＰＴＥＤ  ＴＯ  ＰＲＯＣＥＳＳ  ＳＵＢＳＴＲＡＴＥＳ  ＩＮ  ＥＬＥＣＴＲＯＮＩＣ  ＤＥＶＩＣＥ  ＭＡＮＵＦＡＣＴＵＲＩＮＧ」（代理人整理番号第１７９８９／Ｌ号）と題する米国仮特許出願第６１／７８８，８２５号への優先権を主張し、その内容は、あらゆる目的で本明細書に組み込まれる。
【０００２】
［０００２］本発明は、電子デバイス製造に関し、より具体的には、基板を処理するように適合される処理システム、装置、及び方法に関する。
【背景技術】
【０００３】
［０００３］従来の電子デバイス製造システムは、移送チャンバを囲む複数の処理チャンバ及び１つ又は複数のロードロックチャンバを含む場合がある。これらのシステムは、様々な処理チャンバと１つ又は複数のロードロックチャンバとの間で基板を搬送するように適合される移送チャンバ内に収容される移送ロボットを利用することがある。
【０００４】
［０００４］特定のツールの中に更なる処理能力を追加するためには、他の実施形態では、２つのメインフレームセクションを互いに連結させることができ、１つ又は複数のパススルーチャンバによって２つのメインフレームセクションの間に基板を通過させることができる。幾つかの実施形態では、２つのメインフレームセクションは、２つの異なる真空レベルにおいて動作することができる。基板を１つ又は複数のロードロックチャンバにロードし、且つそこからアンロードするために、ファクトリインターフェースを提供し、動作させることができる。
【０００５】
［０００５］しなしながら、場合によっては、第２メインフレームセクションの追加によって追加される更なる処理は、特定のツールで基板に対して望まれる処理にとっては、依然として不十分であることがある。メインフレームセクションの大きさを拡大することは、床面積要件が増えるという代償が伴い、これは必ずしも可能ではない場合がある。更に、メインフレームの大きさを拡大することは、メインフレームの本体、更に移送ロボットを完全に再設計することを必要とする場合がある。したがって、より高いスループット及び処理能力を可能にする、改善された処理のシステム、装置、及び方法が望まれる。
【発明の概要】
【０００６】
［０００６］第１の態様では、ビアパススルー（ｖｉａ  ｐａｓｓ−ｔｈｒｏｕｇｈ）装置が提供される。ビアパススルー装置は、第１メインフレームセクションと第２メインフレームセクションとの間で連結するように適合されるパススルーチャンバであって、それぞれスリットバルブを有する入口及び出口を含むパススルーチャンバ、並びにパススルーチャンバとは異なる階層に位置し、基板上の処理を実行するように適合されるビア処理チャンバを含む。
【０００７】
［０００７］別の態様によると、電子デバイス処理システムが提供される。電子デバイス処理システムは、基板を動かすように構成される第１ロボットを含む第１メインフレームセクション、基板を動かすように構成される第２ロボットを含む第２メインフレームセクション、及び第１メインフレームと第２メインフレームとの間で連結されるビアパススルー装置であって、第１メインフレームと第２メインフレームとの間で連結され、第１ロボットと第２ロボットの両方によってアクセス可能である第１パススルーチャンバと、基板上の処理を実行するように適合され、第１パススルーチャンバとは異なる階層に位置するビア処理チャンバとを含むビアパススルー装置を含む。
【０００８】
［０００８］別の態様では、基板を処理する方法が提供される。この方法は、第１ロボットを含む第１メインフレームセクションを提供すること、第２ロボットを含む、第１メインフレームセクションに隣接する第２メインフレームセクションを提供すること、第１メインフレームと第２メインフレームを連結するビアパススルー装置を提供すること、及びビアパススルー装置のビア処理チャンバ内の１つ又は複数の基板上の処理を実行することを含む。
【０００９】
［０００９］数多くの他の態様が、本発明のこれらの態様及び他の態様に従って提供される。本発明の他の特徴及び態様は、以下の詳細な説明、添付の特許請求の範囲、及び添付の図面からより詳細に明らかになる。
【図面の簡単な説明】
【００１０】
【図１】複数のメインフレームセクションを含む基板処理システムの概略上面図が示される。更なる処理能力が、実施形態に従って、ビア位置においてメインフレームセクション間で連結されるビアパススルー装置内で提供される。
【図２】実施形態に従って、第１ビアパススルー装置の部分的な断面側面図が示される。
【図３】実施形態に従って、代替的なビアパススルー装置の断面側面図が示される。
【図４Ａ】実施形態に従って、リフトアセンブリの側平面図が示される。
【図４Ｂ】実施形態に従って、リフトアセンブリの一部の等角図が示される。
【図４Ｃ】実施形態に従って、ビアパススルーアセンブリの等角図が示される。
【図４Ｄ】実施形態に従って、図４Ｃの切断線４Ｄ−４Ｄに沿って切り取られたビアパススルーアセンブリの概略側断面図が示される。
【図４Ｅ】実施形態に従って、ペデスタルの等角図が示される。
【図４Ｆ】実施形態に従って、ペデスタルの断面等角図が示される。
【図５】実施形態に従って、ビアパススルー装置を含むシステムを操作する方法を示すフロー図が示される。
【発明を実施するための形態】
【００１１】
［０００１９］電子デバイス製造では、様々な位置の間で基板が極めて正確で迅速に搬送されることが望まれるだけではなく、固定した空間的範囲（例えば、固定床面積）内で更なる処理能力が望まれる場合がある。具体的には、多くの既存のシステムは、パススルーチャンバによって接続される第１メインフレーム及び第２メインフレームを含む場合がある。これらのメインフレームの移送チャンバ内で受け入れられるロボットは、エンドエフェクタ上に載っている基板を基板処理システムの処理チャンバに搬入し、且つそこから搬出するように適合される１つ又は複数のエンドエフェクタを有してもよく、基板をメインフレームセクション間のパススルーを通して動かすように相互作用してもよい。場合によっては、単一のエンドエフェクタが使用される。しかしながら、「デュアルブレード」と呼ばれることもあるデュアルエンドエフェクタが、ロボットの端部に取り付けられ、基板の移送と交換を速めるために使用されてもよい。従来の水平多関節ロボット（ＳＣＡＲＡ）を使用してもよく、或いは、各メインフレームのオフセットファセットへのアクセスを可能にするために独立して作動する部材を有するロボットを使用してもよい。
【００１２】
［０００２０］このような２つのメインフレームシステムにおいては、メインフレームセクションが互いに連結される。それは、特定のツールにおける処理に使用され得る、利用可能な処理チャンバの数を拡大するためである。２つのメインフレームセクション間のパススルーチャンバは、典型的には、２つのメインフレームセクションを互いから分離させるために両側にスリットバルブを有する。このスリットバルブは、種々の真空レベルで動作することができ、或いは、分離を保証する種々の処理を経ている場合がある。
【００１３】
［０００２１］しかしながら、第２メインフレームセクションを追加しても、処理能力は制限される場合がある。多くの場合、更なる処理能力が望まれるが、メインフレームセクションの大きさを拡大することは、以上述べた理由により難しい場合がある。したがって、床面積のフットプリントサイズを実質的に増大させずに処理能力が増大する処理システムが望ましい。更に、メインフレームセクションが最小限の修正を要することが望まれる。
【００１４】
［０００２２］本発明の１つ又は複数の実施形態に従って、既存のデュアルメインフレームシステム（「デュアルバッファシステム」と呼ばれるときもある）と実質的に同じフットプリントを有する基板処理システムにおいて処理能力の増大をもたらすために、改善された基板処理システムが提供される。改善された基板処理システムは、１つ又は複数のビアパススルーの物理的位置と同一場所に位置する更なる処理能力を提供する。例えば、ビア処理チャンバは、ビアパススルーチャンバの直上に設けられてもよいこのような処理能力を含むビアパススルー装置が本明細書で説明される。
【００１５】
［０００２３］本発明の様々な実施形態の例示的な実施形態の更なる詳細が、本明細書の図１から図５を参照しながら説明される。
【００１６】
［０００２４］ここで図１を参照すると、本発明の実施形態による、電子デバイス処理システム１００の実施例が開示される。電子デバイス処理システム１００は、基板１０２上で１つ又は複数の処理を実行するのに有用である。例えば、基板１０２は、パターン化された又はパターン化されていない半導体ウェハ、ガラス板又はパネル、ポリマー基板、レチクル、マスクなどであってもよい。幾つかの実施形態では、基板は、シリコンウェハであってもよく、シリコンウェハは、１つ又は複数の層、パターン、又は上に形成された複数の不完全なチップを有する不完全な半導体ウェハなどの電子デバイス前駆体であってもよい。
【００１７】
［０００２５］電子デバイス処理システム１００は、第２メインフレームセクション１０４に隣接して設けられる第１メインフレームセクション１０３を含む。各メインフレームセクション１０３、１０４は、それぞれセクションハウジング１０６、１０８を含み、セクションハウジング１０６、１０８は、それぞれ中に移送チャンバ１１０、１１２を含む。セクションハウジング１０６、１０８は、チャンバファセットによって画定され得る多数の垂直側壁、並びに上壁及び底壁を含んでもよい。図示の実施形態では、セクションハウジング１０６、１０８は、巻き付くファセットを含み、各側壁上のファセットは、実質的に互いに平行である、すなわち、ファセットに連結されたそれぞれの対になったチャンバに入る方向が、わずかに角度が付くことがあっても、実質的に同時平行であり得る。搬送チャンバ１１０、１１２はそれぞれ、その側壁、並びに上壁及び低壁によって画定され、例えば真空に維持されることができる。各移送チャンバ１１０、１１２の真空レベルは、同じであってもよく、又は異なってもよい。
【００１８】
［０００２６］第１及び第２ロボット１１４、１１６は、それぞれの第１及び第２移送チャンバ１１０、１１２において受容され、各ロボットは、アームと、基板１０５を支持且つ搬送するようにその上で動作可能に適合された１つ又は複数のエンドエフェクタとを含む。第１及び第２ロボット１１４、１１６は、基板１０２（例えば、黒丸として図１に示される「半導体ウェハ」）を目的地から選び取る又は目的地に置くように適合されてもよい。目的地は、第１又は第２移送チャンバ１１０、１１２に連結される任意のチャンバであってもよい。例えば、目的地は、第１移送チャンバ１１０からアクセスされる第１ハウジング１０６に連結される１つ又は複数の第１処理チャンバ１１７又は第２処理チャンバ１１８、第２ハウジング１０８にすべて連結され、第２移送チャンバ１１２からアクセス可能である１つ又は複数の第３処理チャンバ１１９、第４処理チャンバ１２０、又は第５処理チャンバ１２１、第１ハウジング１０６に連結されることができ、第１移送チャンバ１１０からアクセス可能である１つ又は複数のロードロックチャンバ１２５、並びにビアパススルー装置１２４であってもよい。ビアパススルー装置１２４は、以下でより詳細に説明されるが、「ビア位置」において処理能力とパススルー能力の組み合わせを備える。本明細書で使用される「ビア位置」とは、ロボット１１４、１１６の両方によってアクセス可能である第１及び第２メインフレームセクション１０３、１０４を意味する。
【００１９】
［０００２７］処理チャンバ１１７−１２１、及びビアパススルー装置１２４の処理チャンバは、堆積、酸化、酸化物除去、ニトロ化、エッチング、洗浄、軽減などの、基板１０２上の任意の数の処理又は処理工程を実行するように適合されてもよい。１つ又は複数の実施形態では、軽減はハロゲン化物除去を含んでもよい。別の実施形態では、酸化物除去は、酸化銅除去であってもよい。以上のいずれの処理も、ビアパススルー装置１２４内で実行されることができる。
【００２０】
［０００２８］１つ又は複数のロードロックチャンバ１２５は、ファクトリインターフェース１２６のロードポート１２９においてドッキングすることができる基板キャリア１２８（例えば、前方開口型統一ポッド（ＦＯＵＰ））から基板１０２を受容することができるファクトリインターフェース１２６と相互作用するように適合されてもよい。ロード／アンロードロボット１３０（破線で図示）は、矢印で示されるように基板キャリア１２８とロードロックチャンバ１２５の間で基板１０２を移送するために使用されてもよい。移送は、任意の順序又は方向で行われてもよい。１つ又は複数の従来型スリットバルブ１３２は、各処理チャンバ１１７−１２１、ロードロックチャンバ１２５、及びビアパススルー装置１２４への入口に設けられてもよい。
【００２１】
［０００２９］再び図１を参照すると、各ロボット１１４、１１６は、移送チャンバ１１０、１１２の一部を形成する第１及び第２ハウジング１０６、１０８のそれぞれの壁（例えば、底面床）に取り付けられるように適合されるベースを含んでもよい。各ロボット１１４、１１６は、メインフレームセクション１０３、１０４と１つ又は複数のロードロックチャンバ１２５の間で基板１０２を移送するように適合される任意の適切なマルチアーム構成を含んでもよい。例えば、ロボット１１４、１１６は、マルチアームを含んでもよく、同一であってもよい。ロボット１１４、１１６は、図示の実施形態では実質的に剛性の片持ち梁であり得る上アーム１３４を含んでもよい。上アーム１３４は、時計回りの回転方向又は反時計回りの回転方向のいずれかでショルダー回転軸周囲を独立して回転するように適合されてもよい。ショルダー回転軸周囲の回転は、底面床の下に取り付けられる従来型の可変リラクタンスモータ又は永久磁石電気モータなど、各移送チャンバ１１０、１１２の外部に位置決めされるモータハウジング（図示せず）内で受容され得る上アーム駆動モータなどの任意の適切な原動部材によってもたらされてもよい。上アーム１３４の回転は、コントローラ１３５から上アーム駆動モータへの適切なコマンドによって制御されてもよい。幾つかの実施形態では、モータハウジング及びベースは、互いに一体になるようにつくられてもよい。他の実施形態では、ベースは、移送チャンバ１１０、１１２の底面床と一体になるようにつくられてもよい。
【００２２】
［０００３０］ショルダー回転軸から離間される半径方向の位置において上アーム１３４の外側端で取り付けられ、回転可能に連結されるのは、前アーム１３６である。前アーム１３６は、半径方向の位置におけるエルボー回転軸周囲の上アーム１３４に対するＸ−Ｙ平面において回転するように適合されてもよい。前アーム１３６は、モータハウジング（これも図示せず）に設けられることができる前アーム駆動モータ（図示せず）によって、ベース及び上アーム１３４に対するＸ−Ｙ平面において独立して回転可能であってもよい。
【００２３】
［０００３１］エルボー回転軸から離間される位置において前アーム１３６の外側端上に位置するのは、１つ又は複数のリスト部材１３８Ａ、１３８Ｂであってもよい。リスト部材１３８Ａ、１３８Ｂは、それぞれ、リスト回転軸周囲の前アーム１３６に対するＸ−Ｙ平面における独立回転のために適合されてもよい。更に、リスト部材１３８Ａ、１３８Ｂは、それぞれ、エンドエフェクタ１４０Ａ、１４０Ｂ（さもなければ「ブレード」と呼ばれる）に連結されてもよく、エンドエフェクタ１４０Ａ、１４０Ｂは、それぞれ、選び取る動作及び／又は置く動作の間に基板１０２を運び、移送するように適合される。エンドエフェクタ１４０Ａ、１４０Ｂは、任意の適切な従来型の構造のものであってもよい。エンドエフェクタ１４０Ａ、１４０Ｂは、受動的であってもよく、或いはメカニカルクランプなどの基板１０２を保持するための幾つかの能動的手段又は静電能力を含んでもよい。エンドエフェクタ１４０Ａ、１４０Ｂは、機械的締結、接着、締め付けなどの任意の適切な手段によってリスト部材１３８Ａ、１３８Ｂに連結されてもよい。任意選択的に、それぞれのリスト部材１３８Ａ、１３８Ｂ、及びエンドエフェクタ１４０Ａ、１４０Ｂは、１つの一体部分として形成されることによって、互いに連結されてもよい。各リスト部材１３８Ａ、１３８Ｂの回転は、移送チャンバ１１０、１１２の外部にあり得るモータハウジング（図示せず）内に位置し得る、それぞれのリスト駆動モータによって付与されてもよい。
【００２４】
［０００３２］図示の実施形態では、エンドエフェクタ１４０Ａ、１４０Ｂは、各処理チャンバ１１７−１２１、１つ又は複数のビアパススルーチャンバ１２２、１２３のそれぞれ、及びビアパススルー装置１２４の各チャンバに挿入されてもよい。挿入は、概して真っ直ぐに行われてもよく、すなわち、それぞれのチャンバのファセットに対してほぼ直角の方向に挿入されるが、幾らかの微妙な角度オフセットが同様に許容され得る。平行のファセット（例えば、対になったチャンバ）にアクセスするこの能力は、挿入及び引き戻しされる際にエンドエフェクタ１４０Ａ、１０４Ｂの作用線が、それぞれのロボット１１４、１１６のショルダー軸から水平にオフセットされるため、本明細書で軸外能力（ｏｆｆ−ａｘｉｓ  ｃａｐａｂｉｌｉｔｙ）と呼ばれる。
【００２５】
［０００３３］メイダン等（Ｍａｙｄａｎ  ｅｔ  ａｌ）による米国特許第５，８５５，６８１号で教示されるロボットのように、他の種類のロボットをこのような軸外のチャンバ又は対になったチャンバを処理するために使用してもよい。図示の実施形態では、１つ又は複数のビアパススルーチャンバ１２２、１２３は、ビアパススルー装置１２４から水平に反対側の第１メインフレームセクション１０３の側面上で第１メインフレームセクション１０３に連結される。パススルー装置１２４は、個別の構成要素として構成されてもよく、各メインフレームセクション１０３、１０４に取り付け可能な共通本体１４２を含んでもよい。
【００２６】
［０００３４］図２は、実施形態による、代表的なビアパススルー装置１２４の詳細を示す。ビアパススルー装置１２４は、第１側面上で第１メインフレームセクション１０３の第１ハウジング１０６、並びに他の側面上で第２メインフレームセクション１０４の第２ハウジング１０８に接続可能な剛性材料（例えば、アルミニウム）の共通本体２４２を含む。接続は、締結（例えば、ボルト締め）などの機械的接続による方法であってもよく、第１及び第２ハウジング１０６、１０８との接続界面は、幾つかの実施形態では、適切に密封されることができる。
【００２７】
［０００３５］ビア装置１２４は、第１メインフレームセクション１０３と第２メインフレームセクション１０４との間で連結するように適合され、且つ基板１０２が移送チャンバ１１０、１１２の間を通過することを可能にするパススルーチャンバ２４４を含む。パススルーチャンバ２４４は、入口２４６及び出口２４８を含み、それぞれスリットバルブ１３２を有する。本明細書に使用される入口及び出口は、最終的に方向を示すわけではなく、入口２４６は時として出口として機能する場合がある。同様に、出口２４８は時として入口として機能する場合がある。したがって、基板１０２は、いずれの方向でもパススルーチャンバ２４４を通過することができる。スリットバルブ１３２は、米国特許番号第６，１７３，９３８号、及び第７，００７，９１９号において教示されるように、任意の適切なスリットバルブ構造であってもよい。幾つかの実施形態では、スリットバルブ１３２は、例えば、Ｌモーション（Ｌ−ｍｏｔｉｏｎ）スリットバルブであってもよい。
【００２８】
［０００３６］パススルーチャンバ２４４は、従来型の構造であってもよく、１つ又は複数の支持体２５０を含んでもよい。１つ又は複数の支持体２５０は、１つ又は複数の基板１０２（破線で示される）がその上に置かれ、支持されることを可能にするように適合される。１つ又は複数の支持体２５０上に置かれる基板１０２は、エンドエフェクタ１４０Ａ、１４０Ｂを入口２４６及び出口２４８それぞれを通して延在させることによって、各ロボット１１４、１１６によってアクセス可能である。支持体２５０は、ピン、ペデスタル、スロット、タブ、プラットフォームなどの任意の適切な構造でつくられてもよい。幾つかの実施形態では、リフトアクチュエータ２４３が、１つ又は複数の支持体２５０を持ち上げるために使用されてもよい。
【００２９】
［０００３７］ビアパススルー装置１２４は、ビア処理チャンバ２５２を更に含む。ビア処理チャンバ２５２は、パススルーチャンバ２４４とは異なる垂直階層に位置する。ビア処理チャンバ２５２は、その中に置かれる基板１０２上で処理を実行するように適合される。この態様では、基板処理システム１００の更なる処理能力がビア位置において提供される。図示の実施形態では、チャンバ２４４、２５２の少なくとも一部が共通本体２４２内で形成される。図示の実施形態では、２つの鉛直レベルに位置するパススルーチャンバ２４４及びビア処理チャンバ２５２に処理を施すためにＺ軸能力（Ｚ−ａｘｉｓ  ｃａｐａｂｉｌｉｔｙ）がロボット１１４、１１６上に提供されてもよい。Ｚ軸能力は、最大約２００ｍｍであることができる。基板１０２をクールダウン２４４Ｃに下降させることによって、冷却がパススルーチャンバ２４４に内部で行われることができる。ビアパススルーチャンバ２４４に供給される真空は、専用真空ポンプ（図示せず）によって供給され得る。
【００３０】
［０００３８］図示の実施形態では、ビア処理チャンバ２５２は、パススルーチャンバ２４４の鉛直上方（例えば、直上）に配置され且つ位置決めされてもよい。図示の実施形態では、処理チャンバ２５２内への入口通路は、第２メインフレームセクション１０４の第２移送チャンバ１１２と連通する開口部２５４を通る。スリットバルブ２３４が、開口部２５４内に設けられてもよい。ビアパススルー装置１２４は、幾つかの実施形態では、ビア処理チャンバ２５２内への単一の開口部２５４を有してもよい。
【００３１】
［０００３９］図３の実施形態では、パススルーチャンバ３４４の鉛直上方に位置し且つ位置決めされるパススルーチャンバ３４４及びビア処理チャンバ３５２を有するが、複数の開口部３５４Ａ、３５４Ｂがビア処理チャンバ３５２内に設けられる、ビアパススルー装置３２４の代替的な実施形態が提供される。スリットバルブ１３２、２３４、３３４が、各開口部３５４Ａ、３５４Ｂ、並びに入口２４６、出口２４８に設けられてもよい。したがって、開口部３５４Ａ及び３５４Ｂ、並びに入口２４６及び出口２４８は、それぞれ、基板１０２を移送チャンバ１１０、１１２の間を通し且つ移送するために使用されてもよい。したがって、この実施形態では、パススルー能力がビア処理チャンバ３５２を通して提供される。ビア処理チャンバ３５２は、第１メインフレームセクション１０３の第１移送チャンバ１１０に連結し、そこからアクセス可能であるように適合される第１開口部３５４Ａ、及び第２メインフレームセクション１０４の第２移送チャンバ１１２に連結し、そこからアクセス可能であるように適合される第２開口部３５４Ｂを有する。
【００３２】
［０００４０］ここで図２と図３の両方を参照すると、ビア処理チャンバ２５２、３５２は、それぞれ、処理される基板１０２が処理の間に支持されることができるペデスタル２５３を含んでもよい。ペデスタル２５３は、固定（例えば、移動しない）ペデスタルであってもよく、幾つかの実施形態では、その中に従来型の抵抗ヒータを含めることによって、加熱されることができる。ヒータは、基板１０２を、約０度（摂氏）と約３００度（摂氏）の間の温度、幾つかの実施形態では、約２５０度（摂氏）を上回る温度、更なる実施形態では、約２８０度（摂氏）と約３００度（摂氏）の間の温度などの所定の温度まで加熱するように機能することができる。パススルー装置１２４、３２４は、ビアパススルー装置１２４、３２４のビア処理チャンバ２５２、３５２内の基板１０２上で処理を実行することができる。具体的には、ビア処理チャンバ２５２、３５２内で実行される処理は、堆積処理、酸化処理、ニトロ化処理、アニール処理、エッチング処理、洗浄処理、又は軽減処理からなる処理群から選択される少なくとも１つであってもよい。１つの実施形態では、処理は、例えば、酸化銅（ＣｕＯ）を除去するように適合される酸化物除去又は酸化物エッチング処理であってもよい。幾つかの実施形態では、処理はプラズマ支援処理であってもよい。
【００３３】
［０００４１］他の実施形態では、ビア処理チャンバ２５２、３５２内で実行される処理は、基板１０２からハロゲン成分を除去するように適合される軽減処理であってもよい。  例えば、ハロゲン含有残留物を除去する軽減処理は、ビア処理チャンバ２５２、３５２内で実行されてもよい。軽減は、臭化水素（ＨＢｒ）、塩素（Ｃｌ２）、又は四フッ化炭素（ＣＦ４）のうちの１つ又は複数を除去するように実行されてもよい。ハロゲン含有残留物の除去のために適切な軽減処理は、例えば、米国特許第８，２９３，０１６号において教示される。他の後処理残留物をビア処理チャンバ２５２、３５２内で除去することができる。例えば、基板１０２は、処理チャンバ（例えば、１１７−１２１）のうちの１つにおいて処理を経て、次いで、残留物除去処理又は他のガス軽減処理のために、それぞれのロボット１１４、１１６によってビア処理チャンバ２５２、３５２に移送されることができる。
【００３４】
［０００４２］ビア処理チャンバ２５２、３５２内の真空圧は、そこで望まれる処理の実行に適切な真空範囲に、連結された真空ポンプ２５５によって制御することができる。真空ポンプ２５５は、ターボポンプ又は他の適切なポンプであってもよく、共通本体２４２、３４２の内部の１つ又は複数の通路２５６によって、各チャンバ２５２、３５２に連結されてもよい。ポンプ２５５は、各処理チャンバ２５２、３５２のための真空を供給するように動作することができる。
【００３５】
［０００４３］１つ又は複数のガスは、望まれる処理を実行するために、ガス吸気口２５７を介して共通遠隔プラズマ源２５８、２５７、３５７内へ、ビア処理チャンバ２５２、３５２に供給されてもよい。例えば、窒素（Ｎ２）、アルゴン（Ａｒ）、ヘリウム（Ｈｅ）、水素（Ｈ２）、酸素（Ｏ２）、オゾン（Ｏ３）などのガスが、従来型のガス供給システム（図示せず）によって、ビア処理チャンバ２５２、３５２に供給されてもよい。このようなガス供給システムは、例えば、ガス供給容器、質量流量コントローラ及びバルブを含んでもよい。
【００３６】
［０００４４］別の実施形態では、酸化銅除去処理がビア処理チャンバ２５２、３５２内で行われてもよい。適切な酸化銅除去処理が、例えば、米国特許第６，７３４，１０２号及び第６，９４６，４０１号で説明される。他の酸化銅除去処理が使用されてもよい。幾つかの処理では、図示の共通遠隔プラズマ源などのプラズマ源２５８が設けられ、ビア処理チャンバ２５２、３５２に連結されてもよい。
【００３７】
［０００４５］更に、リフトアセンブリ２７２が、処理チャンバ２５２、３５２の内部の基板１０２を持ち上げるために設けられてもよい。図４Ａで最もよく示されるように、リフトアセンブリ２７２は、アルミニウム材料のフープ状フレームであり得るリフトフレーム４７３を含む。フィンガ４７１は、リフトフレーム４７３に連結され、ねじ又はボルトなどの適切な締め具によって取り付けられてもよく、或いは、リフトフレーム４７３と一体につくられてもよい。フィンガ４７１は、基板１０２を支持し、リフトアクチュエータ４８２がライザ部４７０によって上部位置に動かされたとき、ロボット１１２のエンドエフェクタ１４０Ａが基板１０２を処理チャンバ２５２から抽出することを可能にするように、基板１０２が位置決めされる。
【００３８】
［０００４６］フレーム４７３内に取り付けられているのは、格納リング４７５である。格納リング４７５は、石英又はアルミナリングであってもよい。格納リング４７５は、処理チャンバ２５２、３５２、４５２Ａ、４５２Ｂ内で行われるプラズマ処理へのスリットバルブ開口部２５４、３５４Ａ、３５４Ｂ、４５４Ａ、４５４Ｂの影響を低減させるように機能することができる。格納リング４７５は、ペデスタル２５３と面板２５９の間を延在し、その間の縦方向の隙間を埋める。約３ｍｍの半径方向の隙間をペデスタル２５３の周囲と格納リング４７５の内径の間に設けてもよい。他の隙間を使用することができる。格納リング４７５は、形状が環状であってもよく、リフトフレーム４７３内で形成されるポケットの置かれてもよい。
【００３９】
［０００４７］図４Ｄで見られるように、プラズマ支援処理がチャンバ４５２Ａ内で行われるとき、格納リング４７５は、処理チャンバ４５２Ａを実質的に囲む。同一の格納リング４７５が処理チャンバ４５２Ｂ内に設けられてもよい。リフトアクチュエータ４８２の作動によるライザ部４７０の動作を通してリフトフレーム４７３が持ち上げられるとき、リング４７５は、移動し、シャワーヘッド２４７から半径方向外側の環状上部ポケット４７８内に受容される。したがって、リング４７５は、移動可能な格納リングを含む。
【００４０】
［０００４８］図４Ｄは、処理チャンバ４５２Ａ、４５２Ｂ、ロードロックチャンバ４４４Ａ、４４４Ｂ、及び他の構成要素を示すビアパススルー装置４２４の代表断面図を示す。チャンバ４５２Ｂ上でリフトアセンブリ２７２が、交換のために上部位置に位置決めされているように示される。処理チャンバ４５２Ｂから基板１０２が交換されることを妨げないように格納リング４７５がスリットバルブの開口部４５４Ｂの上に持ち上げられることに留意されたい。左のチャンバ４５２Ａは、フィンガ４７１がフィンガ凹部４６４を通して受容されることとともに下部位置におけるリフトアセンブリ２７２を示す。下部リフトアセンブリ４６７は、更に、べローズ４６６、下部リフトアクチュエータ２４３、支持体４５０、及びクールダウンプラットフォーム４４４Ｃを含むように示される。
【００４１】
［０００４９］図１の電子デバイス処理システム１００は、横並び配置で配置されるパススルーチャンバ１２２、１２３を有するビアパススルー装置１２４を含む。ビアパススルー装置１２４のパススルーチャンバ１２２、１２３は、実質的に同一であってもよく、ビアパススルー装置１２４、３２４の構成によって置き換え且つ交換してもよい。幾つかの実施形態では、図２に示されるビアパススルー装置１２４の種類の組み合わせは、１つのビアの位置において設けられてもよく、図３に示されるビアパススルー装置３２４の種類は、そこから水平にオフセットされる別のビアの位置において設けられてもよい。
【００４２】
［０００５０］ここで図４Ｃ及び図４Ｄを参照すると、パススルー装置４２４の実施形態の等角図及び断面図が示される。ビアパススルー装置４２４は、第１移送チャンバ１１０に連結され、且つそこからアクセス可能であるパススルーチャンバ４４４Ａ、４４４Ｂに連結される入口４４６Ａ、４４６Ｂを有する共通本体４４２を含む。出口は、他の側面に設けられ、第２移送チャンバ１１２に連結されてもよい。上述のように、ビア処理チャンバ４５２Ａ、４５２Ｂは、パススルーチャンバ４４４Ａ、４４４Ｂの上に位置する。
【００４３】
［０００５１］図４Ｃに示されるように、共通プラズマ源４５８は、マニフォールド４６０によって処理チャンバ４５２Ａ、４５２Ｂそれぞれに連結されてもよい。図示の実施形態では、ビアパススルー装置４２４は、ビア処理チャンバ４５２Ａ、４５２Ｂそれぞれに連結される共通遠隔プラズマ源４５８を含む。プラズマ源４５８は、ビア処理チャンバ４５２Ａ、４５２Ｂそれぞれにおいてプラズマを生成することから共通であると呼ばれる。分配チャネル４６１Ａ、４６１Ｂは、ビア処理チャンバ４５２Ａ、４５２Ｂそれぞれを共通遠隔プラズマ源４５８に連結する。適切な真空ポンプ４５５を、共通本体４４２の下方に設けてもよく、且つ様々な処理チャンバ４５２Ａ、４５２Ｂの内部に真空を生成するために使用してもよい。
【００４４】
［０００５２］図４Ｄで最も良く示されるのは、処理チャンバ４５２Ａ、４５２Ｂ、ロードロックチャンバ４４４Ａ、４４４Ｂ、及び他の構成要素を示すビアパススルー装置４２４の代表断面図である。処理チャンバ４５２Ｂ上でリフトアセンブリ４７２が、基板１０２の交換のために上部位置に位置決めされているように示される。処理チャンバ４５２Ｂにおける基板の交換を妨げないように格納リング４７５がスリットバルブの開口部４５４Ｂの上に持ち上げられることに留意されたい。処理チャンバ４５２Ａは、フィンガ４７１がフィンガ凹部４６４を通して受容されることを伴う下部位置に位置するリフトアセンブリ４７２を示す。下部リフトアセンブリ４６７Ａ、４６７Ｂは、更に、べローズ４６６、下部リフトアクチュエータ２４３、支持体２５０、及びクールダウンプラットフォーム４４４Ｃを含むように示される。図４Ｄでは、マニフォールド４６０によってビア処理チャンバ４５２Ａ及びビア処理チャンバ４５２Ｂに連結される共通遠隔プラズマ源４５８が更に示される。マニフォールド４６０内のチャネル４６１Ａ、４６１Ｂは、プラズマをガスボックス４６２に供給し、シャワーヘッド２４７及び面板２５９に通す。１つ又は複数のガスが、吸気口２５７において導入されてもよい。補助的ガス吸気口がガスボックス４６２において設けられてもよい（吸気口は図示せず）。
【００４５】
［０００５３］ここで図４Ｅ及び４Ｆを参照すると、ペデスタル２５３が詳細に示される。ペデスタル２５３は、最上部プレート４６８を含む。最上部プレートは、基板１０２に接触するように適合されるアルミニウム材料であってもよい。ペデスタル２５３は、最上部プレート４６８の下方にあり、且つ支持体４７６内の溝に横たわる抵抗素子を有する内部抵抗性ヒータを含み得る支持体４７６（これもアルミニウムであり得る）を含んでもよい。ヒータは、基板１０２を、約０度（摂氏）と約３００度（摂氏）の間の温度、又はそれを上回る温度などの適切な処理温度に加熱することができる。ヒータへの電力入力ケーブルは、チャネル４７７内で水平に延在してもよく、次いで、共通本体４４２内に形成されるヒータポートを通って垂直下方に延在してもよい。ヒータポートは、最上部プレート４６８の中央からオフセットされる。適切に密封された電気パススルー４８０が、ヒータポートを密封することができる。最上部プレート４６８で示されるのは、表面の下のフィンガ４７１を受容するように構成され、且つ適合される複数のフィンガ凹部４６４（例えば、３つのフィンガ）である。リフトアセンブリ４７２のフィンガ４７１（図４Ａ−図４Ｂ）は、ロボット１１６を用いて基板を交換する間に、基板１０２に接触してそれを持ち上げるように適合される。フィンガ４７１の数は、例えば３つ以上であってもよい。フィンガは、接続フランジ４６７によってライザ部４７０に接続されるリフトフレーム４７３などの接続部分から延在してもよい。フィンガは、基板１０２の下方で水平に延在してもよい。フィンガ４７１は、基板１０２を支持するために適切な半径方向の間隔で離間され、更に基板１０２に対するエンドエフェクタ１４０Ａのアクセスを妨げないように離間されてもよい。
【００４６】
［０００５４］図５で示されるように、基板（例えば基板１０２）を処理する方法５００が提供される。方法５００は、５０２では、第１ロボット（例えば、第１ロボット１１４）を含む第１メインフレームセクション（例えば、第１メインフレームセクション１０３）を提供すること、及び５０４では、第２ロボット（例えば、第２ロボット１１６）を含む、第１メインフレームセクションに隣接する第２メインフレームセクション（例えば、第２メインフレームセクション１０４）を提供することが含まれる。方法５００は更に、５０６では、第１メインフレームと第２メインフレームを連結するビアパススルー装置（例えば、ビアパススルー装置１２４、３２４、４２４）を提供すること、及び５０８では、ビアパススルー装置の１つ又は複数のビア処理チャンバ（例えば、ビア処理チャンバ２５２、３５２、４５２Ａ、４５２Ｂ）内の１つ又は複数の基板上の処理を実行することが含まれる。
【００４７】
［０００５５］前述の説明は、本発明の単なる例示的な実施形態を開示する。本発明の範囲に含まれる、以上で開示されたシステム、装置、及び方法の修正例は、当業者にはすぐに明らかになるだろう。したがって、本発明が、その例示的な実施形態に関連して開示されたが、他の実施形態が、以下の特許請求の範囲によって定義される、本発明の範囲に含まれうると理解されたい。
【図１】
2016512925.tif 000003
【図２】
2016512925.tif 000004
【図３】
2016512925.tif 000005
【図４Ａ】
2016512925.tif 000006
【図４Ｂ】
2016512925.tif 000007
【図４Ｃ】
2016512925.tif 000008
【図４Ｄ】
2016512925.tif 000009
【図４Ｅ】
2016512925.tif 000010
【図４Ｆ】
2016512925.tif 000011
【図５】
2016512925.tif 000012
【国際調査報告】
2016512925.tif 000013
2016512925.tif 000014